(57)【要約】【課題】  従来の木造建物の耐力壁は柱・横架材（梁・土台等）と筋かい材または構造用合板等の面材で構成されていて他の構造部材とも一体となり固定されているため可動式として間取りを自由に変更させることが出来ませんでした。  また、従来の可動間仕切り壁では開閉により部屋を大きく使うか狭く使うかの選択しかなく地震力に対して抵抗する耐力壁の効果はありませんでした。従来の固定された耐力壁を含む間取りを変更しようとすると柱、梁の補強、内壁や天井、床をはがしての大規模な工事となり空間の自由度と耐震性を持たせながら変更させようとしても工事に長い時間がかかり工事期間は室内を使用できない可能性もありなかなか簡単には行なわれていない。【解決手段】木造建物の柱・梁・床に合わせて製作した可動式木造用耐力壁の設置により間取りを変更できる自由度を持たせると共に間取りを変えても地震力に対して耐力壁として抵抗して耐震性を高めた状態の環境を提供できる。【選択図】図５
2006241953.tif 000002
【特許請求の範囲】
【請求項１】
木造建物内部の間仕切り壁を移動可能な柱・梁材と一体の可動式木造用耐力壁として耐震性を高めながら建物内部の間取りに自由度を持たせた可動式木造用耐力壁。
【請求項２】
請求項１記載の可動式木造用耐力壁の引き抜き力へ抵抗する接合金物として引き寄せ金物類を使用してボルト部での脱着を可能にして可動式木造用耐力壁を移動しても床面及び天井面にボルトが突き出ないようにした。１階においては請求項１記載の可動式木造用耐力壁の引き抜き力へ抵抗する接合金物として引き寄せ金物類を直接基礎に埋め込まれたアンカーボルトに接合させるのではなくボルト・穴付き角型鋼を介して基礎アンカーボルトに接合させることにより可動式木造用耐力壁を外した際に角型鋼部分でナットを回してボルトを外しせるようにして可動式木造用耐力壁を移動しても床面にボルトが突き出ないようにして床面を平らに使用できるようにした可動式木造用耐力壁を移動しても床面及び天井面にボルトが突き出ないようにしながら引き寄せ金物類を使って引き抜き力にも抵抗出来るようにしたボルトを脱着できる可動式木造用耐力壁の接合方法。
【発明の詳細な説明】
【技術分野】
【０００１】  本発明は、木造建物の耐震性を保ちながら間取りに自由度をもたせる可動式木造用耐力壁に関する。
【背景技術】
【０００２】  従来の木造建物の耐力壁は柱と横架材（梁・土台等）に筋かい材または構造用合板類の面材により構成されて他の構造材と一体として設置されていて１階においては土台は基礎へ直接埋め込まれたアンカーボルトへ緊結されていて上部（２階・小屋組等）も他の構造部材と直接接合されていて移動することが出来ず耐力壁を可動式として間取りに自由度を持たせることは出来ませんでした。【０００３】  また、木造建物の住宅に暮らす一般家庭を例に取ると家族構成の変化と共に部屋数や大きさをプライバシーと耐震性を保たせたまま変更出来たら自由な空間を実現出来ると思われるが従来の固定された耐力壁の移動は出来ず、間取りの変更は柱、内壁、天井、床をはがして行なわなければならず大規模工事となりあまり行なわれてない。【０００４】  耐力壁とは（例えば、非特許文献１、非特許文献２）
【非特許文献１】建築基準法施行令第４６条
【非特許文献２】平成１２年５月２３日  建設省告示第１３５２号
【発明の開示】
【発明が解決しようとする課題】
【０００５】  以上に述べた従来の木造建物の耐力壁には移動させて内部の部屋の大きさを変更させることは出来ませんでした。【０００６】  また、従来の可動間仕切り壁では開閉により部屋を広く使うか狭く使うかの選択しかなく耐震性を高める耐力壁の役割や間取りの変更の自由度がありませんでした。【０００７】  本発明は、このような従来の問題を可動式木造用耐力壁により従来の固定されて移動出来ない耐力壁に変えて木造建物の耐震性を保たせながら間取りの変更を可能として快適で自由な空間を実現することを目的とするものである。
【課題を解決するための手段】
【０００８】  そして、本発明は上記目的を達成するために間取りの変更に伴い可動式木造用耐力壁の移動が予想される位置の木造軸組部においては横架材（土台１３、梁１２）を設置し、基礎部においては穴付き角型鋼付きの基礎１５を設置して可動式木造用耐力壁１を設置した際に引き寄せ金物類９及びボルト１０で接合することにより可動式木造用耐力壁１を移動しても耐力壁として地震力の引き抜き力に抵抗出来るようにした。
【発明の効果】
【０００９】  上述したように本発明の可動式木造用耐力壁１は、地震力に対して抵抗出来る耐震性を保ちながら間取りに自由度を持たせ快適な空間を提供できる【００１０】  また、可動式木造用耐力壁に家具が取り付いた可動式木造用家具付き耐力壁３部分は地震力に対して抵抗して移動して設置しても転倒しない家具とすることが出来る。
【発明を実施するための最良の形態】
【００１１】  以下、本発明の実施の形態を図１〜図９に基づいて説明する。
【実施例】
【００１２】  図１は木造住宅１階の可動式木造用耐力壁の設置例として、図２は移動後の例を示した。【００１３】  図３は木造住宅２階の可動式木造用耐力壁の設置例として、図４は移動後の例を示した。【００１４】  図５・図６は可動式木造用耐力壁を木造住宅に設置した例の状態の断面図を示した。【００１５】  図７は可動式木造用耐力壁を木造住宅に設置した例の状態の断面図を示した。
【図面の簡単な説明】
【００１６】
【図１】    木造住宅モデルに可動式木造用耐力壁を設置した状態の１階平面図
【図２】    図１の平面図に設置された可動式木造用耐力壁の移動例の平面図
【図３】    木造住宅モデルに可動式木造用耐力壁を設置した状態の２階平面図
【図４】    図２の平面図に設置された可動式木造用耐力壁の移動例の平面図
【図５】    可動式木造用耐力壁の設置例を示した図１・図２におけるＡ−Ａ線断面図
【図６】    可動式木造用耐力壁の設置例を示した図１・図２におけるＣ−Ｃ線断面図
【図７】    可動式木造用耐力壁の設置例を示した図１・図２におけるＢ−Ｂ線断面図
【図８】    引き寄せ金物類と接合させるための角型鋼の設置例を示した基礎伏図
【図９】    可動式木造用耐力壁を設置するための土台の設置例を示した１階床伏図
【符号の説明】
１    可動式木造用耐力壁
２    可動式木造用建具付き開口壁
３    可動式木造用家具付き耐力壁
４    可動式木造用耐力壁設置可能部の床カバー材
５    可動式木造用耐力壁を構成する柱材
６    可動式木造用耐力壁を構成する上部梁材
７    可動式木造用耐力壁を構成する下部梁材
８    連結ボルト（可動式木造用耐力壁の柱の連結等に使用するボルト）
９    引き寄せ金物類
１０    通しボルト
１１    座金付きボルト
１２    梁材（可動式木造用耐力壁設置可能部）
１３    土台（可動式木造用耐力壁設置可能部）
１４    床下地張り構造用合板
１５    鉄筋コンクリート基礎（可動式木造用耐力壁設置可能部）
１６    アンカーボルト
１７    穴付き角型鋼（ボルト脱着用スペース付き）
１８    アンカーボルト（穴付き角型鋼取り付け部）
１９    点検口（可動式木造用耐力壁のボルト脱着時に使用する点検口）
２０    構造用合板類（耐力壁に使用することが出来る面材）釘間隔１５０ｍｍ以内
２１    柱（建物本体を構成する固定され移動出来ない柱）
２２    梁（建物本体を構成する固定され移動出来ない梁）
２３    土台（建物本体を構成する固定され移動出来ない土台）
２４    鉄筋コンクリート基礎
２５    小屋裏点検スペース
２６    床下点検スペース
２７    可動式木造用耐力壁設置用のボルト用の穴
２８    床仕上げ面
２９    天井仕上り面
３０    大引
３１    台所
３２    食堂
３３    居間
３４    トイレ
３５    脱衣室
３６    浴室
３７    玄関
３８    寝室
３９    階段
４０    可動式木造用耐力壁の設置可能位置
４１    梁隙間パッキン材
【図１】
2006241953.tif 000003
【図２】
2006241953.tif 000004
【図３】
2006241953.tif 000005
【図４】
2006241953.tif 000006
【図５】
2006241953.tif 000007
【図６】
2006241953.tif 000008
【図７】
2006241953.tif 000009
【図８】
2006241953.tif 000010
【図９】
2006241953.tif 000011